(57)【要約】  本発明は、パケット交換ドメインでサービングＧＰＲＳサポートノードＳＧＳＮと通信する汎用アクセスネットワークＧＡＮのパケット交換ドメインを最適化するための方法および装置に関するものである。この方法は、以下のステップを含んでいる。移動局／加入者ＭＳによってＧＡＮアクセスが使用されていることをサービングＧＰＲＳサポートノードＳＧＳＮの中で検出すること。ＧＡＮモードの動作で不要な機能が減少されるように、ライトウェイトバージョンのプロトコルを使用することによって移動局／加入者ＭＳとサービングＧＰＲＳサポートノードとの間で通信を実行すること。【選択図】  なし
2010518681.tif 000002
【特許請求の範囲】
【請求項１】
パケット交換ドメイン内のサービングノード（ＳＧＳＮ）と通信する汎用アクセスネットワークＧＡＮの前記パケット交換ドメインを最適化する方法であって、
前記サービングノード（ＳＧＳＮ）において、ＧＡＮアクセスが移動局／加入者（ＭＳ）によって使用されていることを検出するステップと、
ＧＡＮモードの動作で不要な機能が減少されるように、ライトウェイトバージョンプロトコルを使用することによって、前記移動局／加入者（ＭＳ）と前記サービングノード（ＳＧＳＮ）間の通信を実行するステップと
を備えることを特徴とする方法。
【請求項２】
論理リンク制御（ＬＬＣ）プロトコルのライトウェイトバージョンが、前記移動局／加入者（ＭＳ）と前記サービングノード（ＳＧＳＮ）間で使用される
ことを特徴とする請求項１に記載の方法。
【請求項３】
サブネットワーク依存コンバージェンスプロトコル（ＳＮＤＣＰ）のライトウェイトバージョンが、前記移動局／加入者（ＭＳ）と前記サービングノード（ＳＧＳＮ）間で使用される
ことを特徴とする請求項１または２に記載の方法。
【請求項４】
前記移動局／加入者（ＭＳ）は、ＧＡＮコントローラ（ＧＡＮＣ）を介して前記サービングノード（ＳＧＳＮ）と通信し、これによって、ＧＡＮアセクス検出として、
汎用アクセスネットワークＧＡＮを表すネットワークエリアを識別する情報で、前記サービングノード（ＳＧＳＮ）を事前構成するステップと、
汎用アクセスネットワークＧＡＮを表すネットワークエリアに前記移動局／加入者（ＭＳ）が進入することによって、前記ＧＡＮコントローラ（ＧＡＮＣ）に向けてセル更新あるいはルーティングエリア更新がトリガされるようにするステップと、
前記セル更新あるいは前記ルーティングエリア更新を、前記ＧＡＮコントローラ（ＧＡＮＣ）から前記サービングノード（ＳＧＳＮ）へ転送するステップと、
前記サービングノード（ＳＧＳＮ）において、前記転送されるセル更新あるいはルーティングエリア更新とともに提供される情報と、前記事前構成における情報とを比較することによって、ＧＡＮアクセスが使用されていることを判定するステップと
を備えることを特徴とする請求項１乃至３のいずれか１項に記載の方法。
【請求項５】
前記移動局／加入者（ＭＳ）は、ＧＡＮコントローラ（ＧＡＮＣ）を介して前記サービングノード（ＳＧＳＮ）と通信し、これによって、ＧＡＮアセクス検出として、
ＧＡＮアクセスが使用されている場合のアクセス指標を含めるように、前記ＧＡＮコントローラ（ＧＡＮＣ）と前記サービングノード（ＳＧＳＮ）との間の基地局システムＧＰＲＳプロトコル（ＢＳＳＧＰ）シグナリングを拡張するステップと、
汎用アクセスネットワークＧＡＮに前記移動局／加入者（ＭＳ）が進入することによって、前記ＧＡＮコントローラ（ＧＡＮＣ）に向けてセル更新あるいはルーティングエリア更新がトリガされるようにするステップと、
前記アクセス指標を、前記ＧＡＮコントローラ（ＧＡＮＣ）から前記サービングノード（ＳＧＳＮ）へ送信するステップと、
前記アクセス指標が受信されることで、ＧＡＮアクセスが前記サービングノード（ＳＧＳＮ）で使用されることを判定するステップと
を備えることを特徴とする請求項１乃至３のいずれか１項に記載の方法。
【請求項６】
前記セル更新あるいは前記ルーティングエリア更新とともに前記アクセス指標を、前記ＧＡＮコントローラ（ＧＡＮＣ）から前記サービングノード（ＳＧＳＮ）へ送信するステップを更に備える
ことを特徴とする請求項５に記載の方法。
【請求項７】
前記移動局／加入者（ＭＳ）は、ＧＡＮコントローラ（ＧＡＮＣ）を介して前記サービングノード（ＳＧＳＮ）と通信し、これによって、ＧＡＮアセクス検出として、
前記ＧＡＮコントローラ（ＧＡＮＣ）と前記サービングノード（ＳＧＳＮ）とを、１つの結合ノード（ＧＡＮＣ／ＳＧＳＮ）に結合するステップと、
前記移動局／加入者（ＭＳ）によって前記汎用アクセスネットワークＧＡＮに進入するステップと、
ノード内ＧＡＮアクセス指標メッセージを、前記結合ノードの前記ＧＡＮコントローラ（ＧＡＮＣ）の部分から、前記結合ノードの前記サービングノード（ＳＧＳＮ）の部分へ転送するステップと、
前記ノード内ＧＡＮアクセス指標メッセージが受信される場合に、前記結合ノードの前記サービングノード（ＳＧＳＮ）の部分でのＧＡＮアクセスの使用を判定するステップと
を備えることを特徴とする請求項１乃至３のいずれか１項に記載の方法。
【請求項８】
前記移動局／加入者（ＭＳ）によって前記汎用アクセスネットワークＧＡＮから離脱するステップと、
前記移動局／加入者（ＭＳ）と前記サービングノード（ＳＧＳＮ）間の前記ライトウェイトバージョンプロトコルの通信から、オリジナルモードの通信に復帰するステップと
を備えることを特徴とする請求項１乃至７のいずれか１項に記載の方法。
【請求項９】
パケット交換ドメイン内のサービングノード（ＳＧＳＮ）と通信する汎用アクセスネットワークＧＡＮの前記パケット交換ドメインを最適化する装置であって、
前記サービングノード（ＳＧＳＮ）において、ＧＡＮアクセスが移動局／加入者（ＭＳ）によって使用されていることを検出する手段と、
ＧＡＮモードの動作で不要な機能が減少されるように、ライトウェイトバージョンプロトコルを使用することによって、前記移動局／加入者（ＭＳ）と前記サービングノード（ＳＧＳＮ）間の通信を実行する手段と
を備えることを特徴とする装置。
【請求項１０】
論理リンク制御（ＬＬＣ）プロトコルのライトウェイトバージョンが、前記移動局／加入者（ＭＳ）と前記サービングノード（ＳＧＳＮ）間で使用される
ことを特徴とする請求項９に記載の装置。
【請求項１１】
サブネットワーク依存コンバージェンスプロトコル（ＳＮＤＣＰ）のライトウェイトバージョンが、前記移動局／加入者（ＭＳ）と前記サービングノード（ＳＧＳＮ）間で使用される
ことを特徴とする請求項９または１０に記載の装置。
【請求項１２】
前記移動局／加入者（ＭＳ）は、ＧＡＮコントローラ（ＧＡＮＣ）を介して前記サービングノード（ＳＧＳＮ）と通信し、これによって、ＧＡＮアセクス検出として、
汎用アクセスネットワークＧＡＮを表すネットワークエリアを識別する情報で、前記サービングノード（ＳＧＳＮ）を事前構成する手段と、
汎用アクセスネットワークＧＡＮを表すネットワークエリアへの前記移動局／加入者（ＭＳ）による進入に応じて、前記ＧＡＮコントローラ（ＧＡＮＣ）に向けてセル更新あるいはルーティングエリア更新をトリガする手段と、
前記セル更新あるいは前記ルーティングエリア更新を、前記ＧＡＮコントローラ（ＧＡＮＣ）から前記サービングノード（ＳＧＳＮ）へ転送する手段と、
前記サービングノード（ＳＧＳＮ）において、前記転送されるセル更新あるいはルーティングエリア更新とともに提供される情報と、前記事前構成における情報とを比較することによって、ＧＡＮアクセスが使用されていることを判定する手段と
を備えることを特徴とする請求項９乃至１１のいずれか１項に記載の装置。
【請求項１３】
前記移動局／加入者（ＭＳ）は、ＧＡＮコントローラ（ＧＡＮＣ）を介して前記サービングノード（ＳＧＳＮ）と通信し、これによって、ＧＡＮアセクス検出として、
ＧＡＮアクセスが使用されている場合のアクセス指標を含めるように、前記ＧＡＮコントローラ（ＧＡＮＣ）と前記サービングノード（ＳＧＳＮ）との間の基地局システムＧＰＲＳプロトコル（ＢＳＳＧＰ）シグナリングを拡張する手段と、
汎用アクセスネットワークＧＡＮへの前記移動局／加入者（ＭＳ）による進入に応じて、前記ＧＡＮコントローラ（ＧＡＮＣ）に向けてセル更新あるいはルーティングエリア更新をトリガする手段と、
前記アクセス指標を、前記ＧＡＮコントローラ（ＧＡＮＣ）から前記サービングノード（ＳＧＳＮ）へ送信する手段と、
前記アクセス指標が受信されることで、ＧＡＮアクセスが前記サービングノード（ＳＧＳＮ）で使用されることを判定する手段と
を備えることを特徴とする請求項９乃至１１のいずれか１項に記載の装置。
【請求項１４】
前記セル更新あるいは前記ルーティングエリア更新とともに前記アクセス指標を、前記ＧＡＮコントローラ（ＧＡＮＣ）から前記サービングノード（ＳＧＳＮ）へ送信する手段を更に備える
ことを特徴とする請求項１３に記載の装置。
【請求項１５】
前記移動局／加入者（ＭＳ）は、ＧＡＮコントローラ（ＧＡＮＣ）を介して前記サービングノード（ＳＧＳＮ）と通信し、これによって、ＧＡＮアセクス検出として、
前記ＧＡＮコントローラ（ＧＡＮＣ）と前記サービングノード（ＳＧＳＮ）とを、１つの結合ノード（ＧＡＮＣ／ＳＧＳＮ）に結合する手段と、
前記結合ノード（ＧＡＮＣ／ＳＧＳＮ）において、前記移動局／加入者（ＭＳ）による前記汎用アクセスネットワークＧＡＮへの進入を識別する手段と、
ノード内ＧＡＮアクセス指標メッセージを、前記結合ノードの前記ＧＡＮコントローラ（ＧＡＮＣ）の部分から、前記結合ノードの前記サービングノード（ＳＧＳＮ）の部分へ転送する手段と、
前記ノード内ＧＡＮアクセス指標メッセージが受信される場合に、前記結合ノードの前記サービングノード（ＳＧＳＮ）の部分でのＧＡＮアクセスの使用を判定する手段と
を備えることを特徴とする請求項９乃至１１のいずれか１項に記載の装置。
【請求項１６】
前記移動局／加入者（ＭＳ）による前記汎用アクセスネットワークＧＡＮからの離脱を検出する手段と、
前記移動局／加入者（ＭＳ）と前記サービングノード（ＳＧＳＮ）間の前記ライトウェイトバージョンプロトコルの通信から、オリジナルモードの通信に復帰する手段と
を備えることを特徴とする請求項９乃至１５のいずれか１項に記載の装置。
【請求項１７】
パケット交換ドメイン内のサービングノード（ＳＧＳＮ）と通信する汎用アクセスネットワークＧＡＮの前記パケット交換ドメインの最適化のための、前記サービングノード（ＳＧＳＮ）装置であって、
当該サービングノード（ＳＧＳＮ）において、ＧＡＮアクセスが移動局／加入者（ＭＳ）によって使用されていることを検出する手段と、
当該サービングノード（ＳＧＳＮ）において、ＧＡＮモードの動作で不要な機能が減少されるように、ライトウェイトバージョンプロトコルを使用することによって、前記移動局／加入者（ＭＳ）と当該サービングノード（ＳＧＳＮ）間の通信を実行する手段と
を備えることを特徴とするサービングノード（ＳＧＳＮ）。
【請求項１８】
汎用アクセスネットワークのパケット交換ドメインの最適化のための結合ノード（ＧＡＮＣ／ＳＧＳＮ）であって、
当該結合ノード（ＧＡＮＣ／ＳＧＳＮ）において、前記移動局／加入者（ＭＳ）による前記汎用アクセスネットワークＧＡＮへの進入を識別する手段と、
当該結合ノード（ＧＡＮＣ／ＳＧＳＮ）において、ノード内ＧＡＮアクセス指標メッセージを、前記結合ノードの前記ＧＡＮコントローラ（ＧＡＮＣ）の部分から、前記結合ノードの前記サービングノード（ＳＧＳＮ）の部分へ転送する手段と、
当該結合ノード（ＧＡＮＣ／ＳＧＳＮ）において、前記ノード内ＧＡＮアクセス指標メッセージが受信される場合に、当該結合ノード（ＧＡＮＣ／ＳＧＳＮ）の前記サービングノード（ＳＧＳＮ）の部分でのＧＡＮアクセスの使用を判定する手段と
を備えることを特徴とする結合ノード。
【請求項１９】
パケット交換ドメイン内のサービングノード（ＳＧＳＮ）と通信する汎用アクセスネットワークＧＡＮの前記パケット交換ドメインを最適化するためのコンピュータ読取可能なプログラムコードを記録したプログラム記録媒体であって、
前記サービングノード（ＳＧＳＮ）において、ＧＡＮアクセスが移動局／加入者（ＭＳ）によって使用されていることを検出するためのコンピュータ読取可能なプログラムコードと、
ＧＡＮモードの動作で不要な機能が減少されるように、ライトウェイトバージョンプロトコルを使用することによって、前記移動局／加入者（ＭＳ）と前記サービングノード（ＳＧＳＮ）間の通信を実行するためのコンピュータ読取可能なプログラムコードと
を記録したことを特徴とするプログラム記録媒体。
【発明の詳細な説明】
【技術分野】
【０００１】
本発明は、通信システムにおける汎用アクセスネットワーク（Ｇｅｎｅｒｉｃ  Ａｃｃｅｓｓ  Ｎｅｔｗｏｒｋ）ＧＡＮのパケット交換ＰＳドメインを最適化するための方法および装置に関するものである。
【背景技術】
【０００２】
汎用アクセスネットワークＧＡＮは、３ＧＰＰリリース６以降の３ＧＰＰ技術仕様書４３．３１８および４４．３１８で定義されている。これらの規格は、ローカルエリアネットワークと広域ネットワークの間のシームレスなローミングおよびハンドオーバを可能にする通信システムＧＡＮについて記述している。本願の図１ａは、従来技術の一部であり、また、ユニバーサル地上無線アクセスネットワーク（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）ＵＴＲＡＮと、ＧＳＭ  Ｅｄｇｅ無線アクセスネットワーク（ＧＳＭ  Ｅｄｇｅ  Ｒａｄｉｏ  Ａｃｃｅｓｓ  Ｎｅｔｗｏｒｋ）ＧＥＲＡＮと、汎用アクセスネットワークＧＡＮとのうちいずれか１つを介して移動コアネットワーク（Ｍｏｂｉｌｅ  Ｃｏｒｅ  Ｎｅｔｗｏｒｋ）ＭＣＮと通信する移動端末ＭＳを開示している。この移動端末は、さらに、ＭＣＮを介して、ＰＬＭＮ／公衆陸上移動通信ネットワーク、インターネット、またはＰＳＴＮ／公衆交換電話ネットワークのうちのいずれか１つと通信する。
【０００３】
また、図１ｂも、先行技術の一部であり、また、本願に関連するＧＡＮ機能性アーキテクチャのＰＳドメイン部分を開示している。ＧＡＮ機能性アーキテクチャ全体は、３ＧＰＰ  ＴＳ４３．３１８で定義されるように、複数のインタフェースおよびノードで構成される。図１ｂは、移動局ＭＳと、汎用ＩＰアクセスネットワーク（Ｇｅｎｅｒｉｃ  ＩＰ  Ａｃｃｅｓｓ  Ｎｅｔｗｏｒｋ）ＧＩＰＡＮと、本願ではコントローラＧＡＮＣと呼ばれることもある汎用アクセスネットワークコントローラ（Ｇｅｎｅｒｉｃ  Ａｃｃｅｓｓ  Ｎｅｔｗｏｒｋ  Ｃｏｎｔｒｏｌｌｅｒ）ＧＡＮＣのセキュリティゲートウェイ（Ｓｅｃｕｒｉｔｙ  Ｇａｔｅｗａｙ）ＳＥＧＷと、そして、本願ではサービングノードＳＧＳＮと呼ばれることもあるサービング（在圏）ＧＰＲＳサポートノード（Ｓｅｒｖｉｎｇ  ＧＰＲＳ  Ｓｕｐｐｏｒｔ  Ｎｏｄｅ）ＳＧＳＮを含むコアネットワーク（Ｃｏｒｅ  Ｎｅｔｗｏｒｋ）ＣＮとを開示している。Ｕｐインタフェースが、セキュアな送信を提供するが、それは、ＭＳと、汎用アクセスネットワークコントローラＧＡＮＣのセキュリティゲートウェイＳＥＧＷとの間でＩＰセキュアトンネルが確立されて使用されているからである。Ｇｂインタフェースは、通常、オペレータによって制御され、また、セキュアであるとみなされる。いくつかのネットワーク配備の状況では、ＧＡＮＣとＳＧＳＮの間にセキュリティを提供することが望ましいであろう。一例をあげるとすれば、ＳＧＳＮとＧＡＮＣとがネットワークの中で異なる部分に常駐し、そして、いくつかの公衆ネットワークを使用して相互に接続される場合であろう。この場合、ＧＡＮＣとＳＧＳＮの間のトラフィック用に、いくつかの低レベルセキュリティ（例えば、セキュアなＩＰトンネル）を提供することが適切であろう。加えて、Ｕｐインタフェース内の送信は、（例えば、１以上で、数千ＭｂｐｓまでのＡＤＳＬ／Ａｓｙｍｍｅｔｒｉｃ  Ｄｉｇｉｔａｌ  Ｓｕｂｓｃｒｉｂｅｒ  Ｌｉｎｅ（非対称デジタル加入者回線）で）ブロードバンド・アクセス・ネットワーク、および、（例えば、１以上で数百ＭｂｐｓのＷｉＦｉ／Ｗｉｒｅｌｅｓｓ  Ｆｉｄｅｌｉｔｙで）高速の無認可の無線の使用とに基づいている。従って、ＧＡＮＣとＭＳの間のＧＩＰＡＮにおいて送信の明確な限度は存在しない。第２世代２Ｇのパケット交換ＰＳドメイン（ａｋａ  ＧＰＲＳ）は、無線アクセスネットワークＲＡＮ（例えば、ＧＡＮの場合のＧＡＮＣ、またはＧＥＲＡＮの場合の基地局コントローラＢＳＣ）と、ＳＧＳＮ（この場合は、ａｋａ  ２Ｇ−ＳＧＳＮ）との間のＧｂインタフェースの使用に基づいている。ＵｐインタフェースＰＳドメイン制御プレーンのプロトコルアーキテクチャおよびＵｐインタフェースＰＳドメインユーザプレーンのプロトコルアーキテクチャは、当業者にはよく知られており、また、これは、３ＧＰＰ  ＴＳ４３．３１８に記載されている。以下に、ＵｐインタフェースＰＳドメイン制御プレーンおよびＵｐインタフェースＰＳドメインユーザプレーンのプロトコルについての規格に従うプロトコルアーキテクチャ図を、以下の説明を理解するための読者への一助として開示する。
【０００４】
2010518681.tif 000003
【０００５】
2010518681.tif 000004
【０００６】
これらの規格からわかるように、論理リンク制御（Ｌｏｇｉｃａｌ  Ｌｉｎｋ  Ｃｏｎｔｒｏｌ）ＬＬＣレイヤが、ＭＳとＳＧＳＮとの間のＧＡＮに対するＰＳドメイン制御プレーンで使用される。加えて、このレイヤは、ＧＳＭ／ＧＰＲＳの場合とまったく同様の方法で使用される。また、これらの規格からわかるように、論理リンク制御ＬＬＣレイヤおよびサブネットワーク依存コンバージェンスプロトコル（Ｓｕｂｎｅｔｗｏｒｋ  Ｄｅｐｅｎｄｅｎｔ  Ｃｏｎｖｅｒｇｅｎｃｅ  Ｐｒｏｔｏｃｏｌ）ＳＮＤＣＰレイヤはいずれも、ＭＳとＳＧＳＮの間のＧＡＮに対するＰＳドメインユーザプレーンにおいて使用される。加えて、これらのレイヤは、ＧＳＭ／ＧＰＲＳの場合とまったく同じ方法で使用される。Ｇｂインタフェースは、ＧＡＮＣとＳＧＳＮの間で使用される。通常のＧｂインタフェース動作の一部として、基地局サブシステムＧＰＲＳプロトコルＢＳＳＧＰが、ＧＡＮＣによって使用されて、ＧＡＮＣとＳＧＳＮの間で動的にＢＳＳＧＰバーチャル接続（ＢＳＳＧＰ  Ｖｉｒｔｕａｌ  Ｃｏｎｎｅｃｔｉｏｎｓ）ＢＶＣを作成する。各セルについて１つのＣｅｌｌ−ＢＶＣ（ポイント・ツー・ポイントＢＶＣ、すなわち、ＰＴＰ−ＢＶＣとも呼ばれる）が作成され、そして、シグナリングＢＶＣと呼ばれる１つ以上の追加のノードレベル（あるいは、実際にはネットワークサービスエンティティ（Ｎｅｔｗｏｒｋ  Ｓｅｒｖｉｃｅ  Ｅｎｔｉｔｙ）ＮＳＥレベルであり、なぜなら１つのノードは複数のＮＳＥを定義しうるからである）のＢＶＣも作成される。ＢＶＣの作成は、３ＧＰＰ  ＴＳ４８．０１８に定義されるように、ＢＶＣ−ＲＥＳＥＴ手順を使用して行われる。Ｃｅｌｌ−ＢＶＣが作成されると、ＧＡＮＣが、Ｃｅｌｌ−ＢＶＣが作成された対象であるセルのセルグローバルアイデンティティ（Ｃｅｌｌ  Ｇｌｏｂａｌ  Ｉｄｅｎｔｉｔｙ）ＣＧＩをＳＧＳＮに通知する。各ＢＶＣは、ＢＶＣ識別子（ＢＶＣ  Ｉｄｅｎｔｉｆｉｅｒ）ＢＶＣＩを使って識別され、ＢＶＣＩもＧＡＮＣからＳＧＳＮへ信号で伝達される。ＧＳＭのＣＧＩは、ロケーションエリアアイデンティティ（Ｌｏｃａｔｉｏｎ  Ａｒｅａ  Ｉｄｅｎｔｉｔｙ）ＬＡＩとセルアイデンティティ（Ｃｅｌｌ  Ｉｄｅｎｔｉｔｙ）ＣＩとで構成される。さらに、ＬＡＩは、移動電話国コード（Ｍｏｂｉｌｅ  Ｃｏｕｎｔｙ  Ｃｏｄｅ）ＭＣＣと、移動電話ネットワークコード（Ｍｏｂｉｌｅ  Ｎｅｔｗｏｒｋ  Ｃｏｄｅ）ＭＮＣと、位置エリアコード（Ｌｏｃａｔｉｏｎ  Ａｒｅａ  Ｃｏｄｅ）ＬＡＣとで構成される。ＭＣＣとＭＮＣとが一緒になってＰＬＭＮ識別子であるＰＬＭＮ−ＩＤを構築し、このＰＬＭＮ−ＩＤが、移動ネットワークを一意に定義する。加えて、ＬＡＩとルーティングエリアコード（Ｒｏｕｔｉｎｇ  Ａｒｅａ  Ｃｏｄｅ）ＲＡＣとの結合（組み合わせ）によって構築される、ルーティングエリアアイデンティ（Ｒｏｕｔｉｎｇ  Ａｒｅａ  Ｉｄｅｎｔｉｔｙ）ＲＡＩと呼ばれるもう１つの識別子がある。ＧＳＭセルとＧＡＮセルとはいずれも、ＣＧＩを使用して識別され、そして、特定のＣＧＩがＧＳＭセルまたはＧＡＮセルを識別するかどうかをＳＧＳＮが知る方法は、現時点では知られていない。ユーザプレーンは、Ｂ��ＳＧＰプロトコルの一部であるＵＬ−ＵＮＩＴＤＡＴＡメッセージとＤＬ−ＵＮＩＴＤＡＴＡメッセージとを使用してＧＡＮＣとＳＧＳＮとの間で送信される。ＵＬ−ＵＮＩＴＤＡＴＡメッセージは、ＧＡＮＣからＳＧＳＮへと送信されて、また、１つのＬＬＣプロトコルデータユニットであるＬＬＣ−ＰＤＵを搬送するために使用される。加えて、各ＵＬ−ＵＮＩＴＤＡＴＡメッセージは、ＭＳが現在どのセルに存在しているかを示すためのＣＧＩをも含んでいる。これは、ＭＳの現在のセルが、ＳＧＳＮに対して２つの異なる方法で示されることを意味し、すなわち、ａ）ＢＶＣＩがＣｅｌｌ−ＢＶＣを定義して、それが次いでＣＧＩに関連し、そして、ｂ）ＵＬ−ＵＮＩＴＤＡＴＡメッセージもそのＣＧＩを含むことである。
【０００７】
最近、３ＧＰＰ  ＴＳＧ  ＧＥＲＡＮにおいて、ＧＡＮの拡張について調査するため、新たな作業項目が承認されている。この作業の主なターゲットの１つは、ＧＡＮ  ＰＳドメインを最適化することであり、主として、そのユーザプレーン部分を最適化することである。ＧＡＮ  ＰＳドメインを最適化するための１つの提案は、Ｉｕインタフェースへの一般的なアクセスを標準化することである。このＩｕインタフェースは、ＵＭＴＳ／ＷＣＤＭＡネットワークで使用されるＲＡＮ−ＣＮインタフェースであり、Ｉｕ−ＰＳは、ＰＳドメインで使用される部分である。Ｉｕ−ＰＳは、Ｇｂインタフェースと比較して最適化されており、ＧＡＮがＣＮに対してＩｕインタフェースを使用することが指定されている場合、ＰＳドメインも最適化されるであろう。これは、Ｕｐインタフェースが変更されて、新規の移動局ＭＳが必要となることを意味するであろう。しかしながら、Ｕｐインタフェースを修正しないまま維持して、かつ既存のＧＡＮ期間を使用して提供されうる変更のみをサポートすることが望ましいであろう。
【発明の概要】
【発明が解決しようとする課題】
【０００８】
本発明は、Ｕｐインタフェースを修正しないまま維持する一方で、ＧＡＮにおいてパケット交換ドメインをどのようにして最適化するか、という課題に関するものである。さらなる課題は、あるアクセスをＧＡＮアクセスであると識別することに関するものである。
【課題を解決するための手段】
【０００９】
これらの課題は、サービングＧＰＲＳサポートノードＳＧＳＮにおいてＧＡＮアクセスが使用されていることを検出することによって、また、ＧＡＮアクセスが使用されている場合には通信にとって不要な特定のレイヤ上で使用されている機能性を減少させる／最小化させることによって、本発明によって解決される。このＳＧＳＮは、ＧＡＮアクセスが使用されていることを知らされ、そして、いったんそうなった場合には、別のアクセス、例えば、ＧＥＲＡＮ、が使用された場合には不可能であるような方法でパケット交換ドメインが最適化される。
【００１０】
詳細には、解決策は、汎用アクセスネットワークコントローラＧＡＮＣがパケット交換ドメインの中のＳＧＳＮと通信することを特徴とする通信システムにおける、汎用アクセスネットワークＧＡＮのパケット交換ＰＳドメインを最適化する方法を含んでいる。この方法は、ＧＡＮアクセスが使用されていることをＳＧＳＮにおいて検出することを含んでいる。次いで、ＭＳとサービスノードＳＧＳＮの間の通信が実行されて、通常使用されているプロトコルのライトウェイト（ライトウェイト）バージョンを起動させ、そうすることで、送信および高帯域幅を依然として確保する一方で、ＭＳによってＧＡＮアクセスが使用されている間は、ＧＡＮモードの動作で不要な機能が解除されるまたは最小化される。
【００１１】
本発明の第１の実施形態では、ＧＡＮアクセスの検出は、ＳＧＳＮにおけるＧＡＮネットワークエリア情報の事前構成に基づいている。第１の実施形態は、下記の方法のステップを含んでいる。
【００１２】
−ＳＧＳＮが、汎用アクセスネットワークＧＡＮを表すネットワークエリアを識別する情報を使って事前構成される。
【００１３】
−移動局／加入者ＭＳが、ＧＡＮを表すネットワークエリアに進入する。例えば、ルーティングエリア更新またはセル更新（いわゆる移動性管理エリア更新）がＭＳによってＧＡＮＣを介してトリガされて、ＧＡＮＣからＳＧＳＮへ転送される。
【００１４】
ＳＧＳＮにおいて、転送されたルーティングエリア更新またはセル更新と共に提供される情報、例えば、ＣＧＩ、ＬＡＩ、またはＲＡＩを、事前構成されている情報と比較することによって、ＧＡＮアクセスの使用が判定される。
【００１５】
本発明の第２の実施形態では、ＧＡＮアクセスの検出は、ＧＡＮＣとＳＧＳＮの間のシグナリング拡張に基づいている。第２の実施形態は、下記の方法のステップを含んでいる。
【００１６】
−ＧＡＮアクセスが使用されている場合、ＧＡＮアクセス指標が含まれるようにコントローラＧＡＮＣとＳＧＳＮの間のＢＳＳＧＰシグナリングが拡張される。
【００１７】
−ＭＳがＧＡＮを表すネットワークエリアに進入し、例えば、ルーティングエリア更新またはセル更新がＭＳによってＧＡＮＣを介してトリガされて、ＧＡＮＣからＳＧＳＮへ転送される。
【００１８】
−アクセス指標が、転送されたルーティングエリア更新またはセル更新と共にＧＡＮＣからＳＧＳＮへ送信される。
【００１９】
−ＧＡＮアクセス指標が受信される場合、ＳＧＳＮにおいてＧＡＮアクセスの使用が判定される。
【００２０】
−選択的には、Ｃｅｌｌ−ＢＶＣを作成する場合にＧＡＮアクセス指標がＧＡＮＣによって含まれてもよく、そして、Ｃｅｌｌ−ＢＶＣが作成された場合にＧＡＮアクセス指標が含まれたＣｅｌｌ−ＢＶＣが使用されていることをＳＧＳＮにおいて検出することによって判定される。
【００２１】
本発明の第３の実施形態では、ＧＡＮアクセスの検出は、ＧＡＮＣとＳＧＳＮを１つのノードの結合に基づいている。第３の実施形態は、下記の方法のステップを含んでいる。
【００２２】
−ＧＡＮＣとＳＧＳＮとを、結合ノードである結合ＧＡＮＣ／ＳＧＳＮへと結合させる。
【００２３】
−ＭＳがＧＡＮを表すネットワークエリアへ進入する。
【００２４】
−ノード内ＧＡＮアクセス指標メッセージが、ノードのＧＡＮＣ部分から結合ＧＡＮＣ／ＳＧＳＮノードのＳＧＳＮ部分を示すために使用される。
【００２５】
−ノード内ＧＡＮアクセス指標メッセージが受信される場合、結合ＧＡＮＣ／ＳＧＳＮノードのＳＧＳＮ部分においてＧＡＮアクセスの使用が判定される。
【００２６】
本発明の主な目的は、ＧＡＮアクセスが使用されていることをＳＧＳＮが認識していることを明確にすることである。いったんそうなる場合には、ＳＧＳＮは、例えば、ＬＬＣプロトコルおよびＳＮＤＣＰプロトコルのライトウェイトバージョンを使用し始めることができる。主な問題点は、例えば、ＧＡＮアクセスの主な特徴（送信および高帯域幅を確保する）を考慮に入れながら、ＬＬＣレイヤ上の暗号化およびＳＮＤＣＰレイヤ上の圧縮を解除することである。この目的およびその他の目的は、方法、装置、ノード、システム、および製品によって達成される。
【００２７】
本発明の１つの利点は、既存のＧＡＮ端末（すなわち、３ＧＰＰ  ＧＡＮ  Ｒｅｌ−６規格またはＵＭＡ仕様に適合する端末）についての最適化を可能にする方法で、ＧＡＮ  ＰＳドメインを最適化することができることである。
【００２８】
別の利点は、ＳＧＳＮがより多数の端末を同時にサポートできるであろうということである。加えて、ＭＳは、複雑な動作（例えば、ＬＬＣレイヤの暗号化およびＳＮＤＣＰレイヤの圧縮の少なくとも一方に関連する動作）を行う必要がないため、ＭＳの電池寿命を伸ばすことができる。
【００２９】
ここで本発明について、添付の図面に関連して好適実施形態を利用して詳細に記述しよう。
【図面の簡単な説明】
【００３０】
【図１ａ】先行技術の一部であり、ＵＭＴＳ地上無線アクセスネットワークＵＴＲＡＮと、ＧＳＭ  Ｅｄｇｅ無線アクセスネットワークＧＥＲＡＮと、汎用アクセスネットワークＧＡＮとのうちいずれか１つを介して移動コアネットワークＭＣＮと通信し、さらにＰＬＭＮ／公衆陸上移動通信ネットワーク、インターネット、またはＰＳＴＮ／公衆交換電話ネットワークのうちのいずれか１つと通信する、移動端末ＭＳを示す図である。
【図１ｂ】先行技術の一部であり、本願に関連するＧＡＮ機能性アーキテクチャのＰＳドメイン部分を示す図である。
【図２】サービングＧＰＲＳサポートノードＳＧＳＮが、異なるネットワークエリアについてのＧＡＮアクセス情報をで事前構成されることを特徴とする、信号シーケンス図である。
【図３】ＧＡＮアクセス検出が、ＧＡＮＣとＳＧＳＮの間のシグナリング拡張に基づいていることを特徴とする、信号シーケンス図である。
【図４】汎用アクセスネットワークコントローラＧＡＮＣとサービングＧＰＲＳサポートノードＳＧＳＮの結合を備えるシステムを開示するブロック図である。
【図５】本発明の方法の一部の実質的なステップを含むフローチャートである。
【図６】本発明を実施するために使用することができる装置を示す図である。
【発明を実施するための形態】
【００３１】
基本的な発明は、以下のステップで構成される。第１に、特定の移動局／加入者ＭＳについて、ＧＡＮアクセスが使用されているかどうかをＳＧＳＮに気付かせる。第２に、ＧＡＮアクセスが使用されていることをＳＧＳＮが検出する場合、必要な再交渉（例えば、ＧＰＲＳ移動性管理（ＧＰＲＳ  Ｍｏｂｉｌｉｔｙ  Ｍａｎａｇｅｍｅｎｔ）ＧＭＭ手順および論理リンク制御ＬＬＣ手順の少なくとも一方と、およびサブネットワーク依存コンバージェンスプロトコルＳＮＤＣＰ  ＸＩＤパラメータの再交渉）が、ＧＡＮアクセスが使用されている限り、送信を最適化するためにＳＧＳＮによってトリガされる。ＧＡＮアクセスがもう使用されていないことをＳＧＳＮが検出する場合、ＳＧＳＮは、ＬＬＣおよびＳＮＤＣＰの動作の通常モードに復帰するために、必要な再交渉を再度トリガする。従って、ＧＡＮアクセスが使用されている間、ＬＬＣプロトコルおよびＳＮＤＣＰプロトコルのいわゆる「ライトウェイトバージョン」が使用されている。ＭＳとＧＡＮＣ−ＳＥＧＷの間ではＩＰセキュアトンネルが使用されていることから、ＧＡＮアクセスはセキュアであると考えられるため、ＬＬＣレイヤの暗号化は解除されてもよい。ＭＳとＧＡＮＣの間のＵｐインタフェースには明確な送信制限が存在しないので、ＳＮＤＣＰレイヤの圧縮は解除されてもよい。加えて、その他の（３ＧＰＰ  ＴＳ４４．０６４および３ＧＰＰ  ＴＳ４４．０６５に定義される）ＬＬＣパラメータおよびＳＮＤＣＰ  ＸＩＤパラメータが、ＧＡＮモードの動作について最適化されてもよいだろう。今日すでにＬＬＣプロトコルおよびＳＮＤＣＰプロトコルのこれらのライトウェイトバージョンは、既存の端末によってサポートされており、また、その意図するところは、ＧＡＮアクセスが使用されている間は、ＧＡＮモードの動作に不要なすべての機能は解除されるということである。
【００３２】
以下の記載は、ＧＡＮアクセスが使用されていることをどのようにしてＳＧＳＮに認識させられるかを３つの実施形態によって示している。次いで、必要なＧＭＭ手順、ＳＮＤＣＰ手順、およびＬＬＣ手順についての高レベルのステップの記述が続いている。背景技術ですでに説明したように、ＧＳＭセルおよびＧＡＮセルはいずれも、ＣＧＩを使用して識別され、そして、いまのところ、特定のＣＧＩがＧＳＭセルまたはＧＡＮセルを識別するかどうかをＳＧＳＮが知るための既知の方法は存在しない。以下の３つの実施形態は、特定のセルがＧＡＮセルであることと、次いで、そのセルの中のＭＳがＧＡＮアクセスを使用していることとをＳＧＳＮに知らせる、または、ＭＳがＧＡＮアクセスを使用していることを直接示す、３つの個別の方法について説明する。
【００３３】
第１の実施形態が、図２に示される。この方法では、ＳＧＳＮは、特定のネットワークエリア（ＣＧＩで識別されるセル、ＬＡＩで識別されるロケーションエリア、またはＲＡＩで識別されるルーティングエリア等）がＧＡＮアクセスであるかどうかについての情報を使って事前構成される。これは、いくつかのセル、ロケーションエリア、およびルーティングエリアの少なくともいずれかが、ＳＧＳＮの中でＧＡＮアクセスとして識別されることになることを意味する。主な原則は、Ｇｂインタフェースのシグナリングが、修正されないまま維持され、そして、必要なロジックがＳＧＳＮノードに追加されることだけであるということである。ここで、本発明の第１の実施形態に従う方法について、詳細に説明する。この説明は、先に示される図と共に読んでいただきたい。この方法は、以下のステップを含んでいる。
【００３４】
・１において、ＳＧＳＮが、ＧＡＮアクセスであるセル、ロケーションエリアおよびルーティングエリアの少なくともいずれかについての情報を使って事前構成される。異なるエリアは、関連する識別子（例えば、ＣＧＩ、ＬＡＩ、またはＲＡＩ）を使用して識別される。例えば、オペレータは、ＳＧＳＮの中のテーブルにＣＧＩ、ＬＡＩ及びＲＡＩの少なくともいずれかのリストを構成する。次いで、オペレータは、ＧＡＮＣの中でどのＣＧＩ／ＬＡＩ／ＲＡＩが使用されるべきであるかを定義する。
【００３５】
・ＧＡＮＣが、例えば、ＣＧＩ−１によって識別されるＧＡＮセルについて動的にＣｅｌｌ−ＢＶＣ（ＢＳＳＧＰ  Ｖｉｒｔｕａｌ  Ｃｏｎｎｅｃｔｉｏｎ）を作成する。これは、例えば、ＧＡＮセルがＧＡＮＣの中で定義される場合に発生するであろう。ＧＡＮＣは、例えば、作成されることになるＣｅｌｌ−ＢＶＣについてＢＶＣＩ−Ｘを選択し、そして、２において、ＣＧＩ−１とＢＶＣＩ−Ｘとを含む（ＢＳＳＧＰ）ＢＶＣ−ＲＥＳＥＴ（（ＢＳＳＧＰ）ＢＶＣ−リセット）メッセージをＳＧＳＮへ送信する。このステップによって、ＢＶＣＩ−Ｘ上のすべてのトラフィックがＣＧＩ−１で識別されるＧＡＮセルから実際に到来していることをＳＧＳＮが知ることが可能になる。
【００３６】
・３において、ＳＧＳＮが、（ＢＳＳＧＰ）ＢＶＣ−ＲＥＳＥＴ−ＡＣＫ（（ＢＳＳＧＰ）ＢＶＣ−リセット−応答確認）メッセージをＧＡＮＣへ返信することによって、Ｃｅｌｌ−ＢＶＣの作成を確認する。
【００３７】
・４において、ＭＳが、ＣＧＩ−１によって識別されるＧＡＮセルの中のＧＡＮの通信範囲に進入し、そして、通常のＧＰＲＳ移動性管理手順を実行する。これは、セル更新またはＲｏｕｔｉｎｇ  Ａｒｅａ  Ｕｐｄａｔｅ（ルーティングエリア更新）のどちらか一方が、トリガされてもよいことを意味する。
【００３８】
・５において、ＧＡＮＣが、例えば、ＢＶＣＩ−Ｘによって識別されるＣｅｌｌ−ＢＶＣを使用してＲｏｕｔｉｎｇ  Ａｒｅａ  ＵｐｄａｔｅをＳＧＳＮへ転送する。加えて、（ＢＳＳＧＰ）ＵＬ−ＵＮＩＴＤＡＴＡメッセージが、メッセージヘッダの中でＣＧＩ−Ｉを搬送する。
【００３９】
・６において、ＳＧＳＮは、ＧＡＮアクセスが使用されているかどうかを判定することができる。ＣＧＩ−ＩはＧＡＮセルであると定義されていることから、ＳＧＳＮは、ＧＡＮアクセスが使用されていることを知っており、また、ＳＧＳＮは、必要なＳＮＤＣＰおよびＬＬＣ  ＸＩＤ再構成手順をトリガすることができる。加えて、暗号化を解除するために、ＧＭＭ認証および暗号化手順がトリガされてもよい。
【００４０】
第２の実施形態を図３に開示する。この方法では、ＧＡＮアクセスの検出は、ＧＡＮＣとＳＧＳＮの間のＢＳＳＧＰシグナリング拡張に基づいている。ここで、本発明の第２の実施形態に従う方法について、詳細に説明する。この説明は、先に示される図１ａおよび１ｂと共に読んでいただきたい。この方法は、以下のステップを含んでいる。
【００４１】
・ＧＡＮＣとＳＧＳＮの間のＢＳＳＧＰシグナリングが、ＧＡＮアクセスが使用されていることを意味する「ＧＡＮ−Ａｃｃｅｓｓ」指標を含むように拡張される。この例では、ＧＡＮ−Ａｃｃｅｓｓ指標が、Ｃｅｌｌ−ＢＶＣを作成するためにＧＡＮＣによって使用される（ＢＳＳＧＰ）ＢＶＣ−ＲＥＳＥＴ（リセット）メッセージに追加される。選択的には、それが、ＵＬ−ＵＮＩＴＤＡＴＡメッセージ（参照４０で示されるシーケンスを参照）に追加されてもよいし、または、それが両方のメッセージに追加されてもよい。例として、以下のパラメータ「ＣＧＩ−Ｉ；ＢＶＣＩ−Ｘ；ＧＡＮ−ＡＣＣＥＳＳ＝ｙｅｓ」がＢＶＣ−ＲＥＳＥＴメッセージで、ＧＡＮＣからＳＧＳＮへ送信される。１０において、今からＣＧＩ−１／ＢＶＣＩ−Ｘからの全てのトラフィックはＧＡＮアクセスから到来するという指標と共に送信される場合、４０において、ＧＡＮアクセスを示す目的でシーケンスが使用される必要はない。
【００４２】
・２０において、ＳＧＳＮは、（ＢＳＳＧＰ）ＢＶＣ−ＲＥＳＥＴ−ＡＣＫメッセージをＧＡＮＣへ返信することによって、（ＢＳＳＧＰ）ＢＶＣ−ＲＥＳＥＴメッセージの受信を応答確認する。
【００４３】
・３０において、ＭＳは、ＣＧＩ−１によって識別されるＧＡＮセルの中のＧＡＮ通信範囲に進入し、そして、通常のＧＰＲＳ移動性管理手順を実行する。これは、セル更新またはＲｏｕｔｉｎｇ  Ａｒｅａ  Ｕｐｄａｔｅのいずれか一方がトリガされてもよいことを意味する。
【００４４】
・ＧＡＮＣが、ＢＶＣＩ−Ｘによって識別されるＣｅｌｌ−ＢＶＣを使用してセル更新またはＲｏｕｔｉｎｇ  Ａｒｅａ  ＵｐｄａｔｅをＳＧＳＮへ転送する。この例では、４０において、以下のパラメータ「ＣＧＩ−Ｉ；ＧＡＮ−ＡＣＣＥＳＳ＝ｙｅｓ；ＬＬＣ−ＰＤＵ＝Ｒｏｕｔｉｎｇ  Ａｒｅａ  Ｕｐｄａｔｅ  ｏｒ  Ｃｅｌｌ  Ｕｐｄａｔｅ」がＵＬ−ＵＮＩＴＤＡＴＡメッセージで、ＧＡＮＣからＳＧＳＮへ送信される。加えて、ＢＶＣＩ−Ｘの使用も、ＳＧＳＮの中でＢＳＳＧＰレイヤによって示される。シーケンス４０が、進行中のＧＡＮアクセスの指標として送信される場合、シーケンス１０は、ＧＡＮアクセスを示すために使用されてはならない。
【００４５】
・５０において、ＳＧＳＮは、ＧＡＮアクセス指標「ＧＡＮ−ＡＣＣＥＳＳ＝ｙｅｓ」が受信される場合にＧＡＮアクセスが使用されていると判定することができる。ＳＧＳＮは、必要なＳＮＤＣＰおよびＬＬＣ  ＸＩＤ再構成手順をトリガする。加えて、暗号化を解除するために、ＧＭＭ認証および暗号化手順がトリガされてもよい。
【００４６】
第３の実施形態を図４に開示する。この方法では、ＧＡＮＣノードおよびＳＧＳＮノード（図１ｂに示される）が１つの結合ノードＧＡＮＣ／ＳＧＳＮへとマージされる。図４は、結合ＧＡＮＣ／ＳＧＳＮについての機能性アーキテクチャを示している。図示されるように、この結合ノードは、Ｇｎインタフェースを使用してＧＰＲＳゲートウェイサポートノード（ＧＰＲＳ  Ｇａｔｅｗａｙ  Ｓｕｐｐｏｒｔ  Ｎｏｄｅ）ＧＧＳＮに接続されている。主な原則は、結合ＧＡＮＣ／ＳＧＳＮのＧＡＮＣ部分は、ＧＡＮアクセスが使用されていることについて、ノード内部のシグナリングを使用してＳＧＳＮ部分に通知することができるということである。結合ＧＡＮＣ／ＳＧＳＮは、当然、ｉ）ＢＳＳ（群）に対するＧｂインタフェースを備える２Ｇ−ＳＧＳＮ、および、ｉｉ）ＲＮＳに対するＩｕ−ＰＳインタフェースを備える３Ｇ−ＳＧＳＮの少なくとも一方としても機能するのであるから、これは必要である。以下に、読者への一助として、結合ノードＧＡＮＣ／ＳＧＳＮが使用される場合のＵｐインタフェースＰＳドメイン制御プレーンのプロトコルアーキテクチャと、ＵｐインタフェースＰＳドメインユーザプレーンのプロトコルアーキテクチャとについての、プロトコルアーキテクチャの図を示す。以下のプロトコルアーキテクチャは、上述の規格に従うプロトコルアーキテクチャと比較するためのものである。
【００４７】
2010518681.tif 000005
【００４８】
2010518681.tif 000006
【００４９】
ＧＡＮアクセスにおいてＧＰＲＳ接続を実行するＭＳに関する例として、ＳＧＳＮは、上記の実施形態で列挙されている３つの選択肢のうちの１つを使用して、ＧＡＮアクセスが使用されていることを検出する。これに基づいて、ＳＧＳＮは、暗号化を使用しないようにＭＳに信号を送信する。また、ＬＬＣおよびＳＮＤＣＰ  ＸＩＤパラメータについて再交渉が行われてもよいが、通常、これらは、アクティブなＰＤＰコンテキストも存在する場合に限って実行されることを必要とする。ここで、関連するＧＰＲＳ移動性管理ＧＭＭ、サブネットワーク依存コンバージェンスプロトコルＳＮＤＣＰおよび論理リンク制御ＬＬＣ手順について説明する。ＧＭＭ認証および暗号化手順は、３ＧＰＰ  ＴＳ  ２４．００８に定義されていて、また、ＭＳを認証することと、ＧＳＭ暗号化モード（暗号化／非暗号化（解読））およびＧＳＭ暗号化アルゴリズムを設定するために使用することができる。これは、（ＧＭＭ）ＡＵＴＨＥＮＴＩＣＡＴＩＯＮ  ＡＮＤ  ＣＩＰＨＥＲＩＮＧ  ＲＥＱＵＥＳＴ（（ＧＭＭ）認証及び暗号化リクエスト）メッセージをＭＳへ送信するネットワークと、ＧＭＭ  ＡＵＴＨＥＮＴＩＣＡＴＩＯＮ  ＡＮＤ  ＣＩＰＨＥＲＩＮＧ  ＲＥＳＰＯＮＳＥ（ＧＭＭ認証及び暗号化応答）メッセージを使って応答するＭＳとによって実行される。ＭＳがＧＰＲＳに接続するときにはいつでも、ＭＳは、この手順を実行する準備をしなければならない。
【００５０】
基本原則は、ＭＳがＧＡＮアクセスを使用している間、またはＭＳがＧＡＮアクセスに進入する場合に、暗号化モードを「非暗号化」に設定するために、ＧＭＭ認証および暗号化手順を使用することである。ＭＳがＧＡＮアクセスから離脱する場合には、反対の動作が適用され、すなわち、これが他方のアクセスで使用される場合には暗号化モードが「暗号化」に設定され、すなわち、通信のオリジナルモードが再度適用される。
【００５１】
ＳＮＤＣＰおよびＬＬＣ  ＸＩＤの（再）交渉手順は、３ＧＰＰ  ＴＳ  ４４．０６４および４４．０６５に定義されている。主な原則は、例えば、ＳＮＤＣＰレイヤまたはＬＬＣレイヤ接続が確立されている場合には、動作パラメータの特定のセットが交渉され得るということである。加えて、いずれの側も、動作パラメータの再交渉をいつでもトリガすることができる。この交渉は、通常、ＸＩＤ  ＣＯＭＭＡＮＤメッセージをＭＳに送信するＳＧＳＮによって実行される。このメッセージは、ＬＬＣプロトコルエンティティ間で送信され、また、ＬＬＣレイヤおよびＳＮＤＣＰレイヤの動作パラメータを交渉するために使用される。ＳＮＤＣＰパラメータは、例えば、ＰＤＰコンテキストが起動されるまたは修正されるときにはいつでも、交渉され得る。
【００５２】
基本原則は、ＭＳがアクティブＰＤＰコンテキストと共にＧＡＮアクセスを使用している間は（または、ＭＳがアクティブＰＤＰコンテキストと共にＧＡＮアクセスに進入する場合は）、少なくともＳＮＤＣＰレイヤ上の圧縮を解除するために、ＸＩＤ交渉手順を使用することである。ＭＳがＧＡＮアクセスから離脱する場合には、反対の動作が適用され、すなわち、これが、例えば、ＧＥＲＡＮのような他方のアクセスで使用される場合には、圧縮が再度起動されてもよい。
【００５３】
上記の手順はいずれも、（少なくとも）以下のシナリオでトリガされてもよい。
【００５４】
・ＧＡＮアクセスにおいてＧＰＲＳに接続
・ＧＡＮアクセスにおいてＰＤＰコンテキスト起動または修正
・ＭＳがＧＥＲＡＮ／ＵＴＲＡＮからＧＡＮへ移動し、かつ、すでにＧＰＲＳに接続されていて、そして、Ｒｏｕｔｉｎｇ  Ａｒｅａ  Ｕｐｄａｔｅ（ルーティングエリア更新）またはＣｅｌｌ  Ｕｐｄａｔｅ（セル更新）を行う場合。
【００５５】
・ＭＳがアクティブなＰＤＰコンテキストと共にＧＥＲＡＮ／ＵＴＲＡＮからＧＡＮへ移動する場合。
【００５６】
・ＭＳがＧＡＮからＧＥＲＡＮ／ＵＴＲＡＮへ移動し、かつ、すでにＧＰＲＳに接続されていて、Ｒｏｕｔｉｎｇ  Ａｒｅａ  ＵｐｄａｔｅまたはＣｅｌｌ  Ｕｐｄａｔｅを実行する場合。
【００５７】
・ＭＳがアクティブなＰＤＰコンテキストと共にＧＡＮからＧＥＲＡＮ／ＵＴＲＡＮへ移動する場合。
【００５８】
また、上記の原則は、（３ＧＰＰ  ＴＳ  ４３．１２９に定義されているように）ＰＳ  Ｈａｎｄｏｖｅｒにも適用される。ターゲットＳＧＳＮは、（ＧＡＮに対してＰＳ  ＨＯを実行する場合に）、ターゲットセルの中の暗号化を停止させる、または、（ＧＡＮからＰＳ  ＨＯを実行する場合に）ターゲットセルで使用されることになるＧＳＭ暗号化アルゴリズムを割り当てるのいずれか一方を実行してもよい。加えて、ＳＮＤＣＰ  ＸＩＤパラメータは、圧縮を起動するまたは停止するために、ＭＳとターゲットＳＧＳＮの間を通過させてもよい。ターゲットセルのＣＧＩは、ターゲットＳＧＳＮへ信号で伝達され、ＳＧＳＮの実施形態の事前構成は、ターゲットセルがＧＡＮセルであることを検出するために使用されてもよいだろう。加えて、ＧＡＮＣは、ＳＧＳＮへ返信されるＰＳ  ＨＡＮＤＯＶＥＲ  ＲＥＱＵＥＳＴ  ＡＣＫＮＯＷＬＥＤＧＥ（ＰＳハンドオーバリクエスト応答確認）メッセージでＧＡＮアクセス指標を信号で伝達してもよいだろう。
【００５９】
図５は、本発明の一部の重要なステップを示すフローチャートを開示している。このフローチャートは、上述のいくつかの図と共に読んでいただきたい。このフローチャートは、パケット交換ドメインにおいてアクセスネットワークがコアネットワークと通信することを特徴とする通信システムにおいて、アクセスネットワークのパケット交換ドメインの最適化を開示している。このフローチャートは、以下のステップを含んでいる。
【００６０】
−コアネットワークは、定義されているアクセスが使用されていることを検出する。この検出は、上記の実施形態の中で開示される例のうちのいずれか１つを使用して実行されてもよい。一例では、ＧＡＮアクセスの検出は、ＳＧＳＮの事前構成に基づいている。別の例では、ＧＡＮアクセスの検出は、ＧＡＮＣとＳＧＳＮの間のＢＳＳＧＰシグナリング拡張に基づいてもよい。選択的には、ＧＡＮアクセスの検出は、ＧＡＮＣとＳＧＳＮの１つのノードへの結合に基づいてもよい。留意すべきことは、これらの実施形態は、例示することだけを目的としていることである。このステップは、図５のブロック１１で示される。
【００６１】
−コアネットワークは、現在の通信に不要な機能が解除されるように、１つ以上のライトウェイトバージョンのプロトコルを使用して、コアネットワークとＭＳの間の通信を開始する。このステップは、図５のブロック１２で示される。
【００６２】
本発明を実施するために使用することができる装置の一例を図６に略示する。図６は、移動加入者ＭＳがアクセスネットワーク１００にアクセスできることを開示する。このアクセスネットワークは、コアネットワーク２００に接続されている。このコアネットワークは、アクセスインジケータ２１０を備える。このアクセスインジケータ２１０は、コアネットワーク２００の一部であってもよいし、またはコアネットワークの外側に位置してもよい。アクセスインジケータ２１０は、特定のタイプのアクセスネットワークを表すネットワークエリアを識別する情報を使ってＳＧＳＮを事前構成する手段を備えてもよい。別の例では、アクセスインジケータは、特定のタイプのアクセスが使用されている場合には指標を含めるために、ＧＡＮＣとＳＧＳＮの間のシグナリングを拡張する手段を備える。選択的には、アクセスインジケータは、ＧＡＮＣとＳＧＳＮとを１つのノードへと結合する手段を備える。留意すべきことは、これらの実施形態は例示されているだけであるとみなされる必要がある。アクセスインジケータ２１０は、定義されているネットワーク（群）からのアクセス時に、現在のアクセスに不要な特定の手順の圧縮およびは削除の少なくとも一方を開始することができるライトウェイトバージョンインジケータ２２０に接続されている。図では、列挙された項目を個々の要素として示している。しかしながら、本発明の実際の実装においては、例えば、デジタルコンピュータのような他の電子デバイスの不可分の構成要素であることがある。従って、上述の動作は、プログラム記憶媒体を含む製品に実装されてもよいソフトウェアとして実現されてもよい。このプログラム記憶媒体は、搬送波、コンピュータディスク（磁気、または光学（例えば、ＣＤまたはＤＶＤまたはそれら両方）、不揮発性メモリ、テープ、システムメモリ、およびコンピュータのハードドライブのうち１つ以上で実現されるデータ信号を含んでいる。
【００６３】
本発明は、上述の実施形態および図示の実施形態に限定されない。本発明のシステムおよび方法は、例えば、第三世代パートシッププロジェクト（３ＧＰＰ）、欧州電気通信標準化機構（ＥＴＳＩ）、米国規格協会（ＡＮＳＩ）、またはその他の標準電気通信ネットワークアーキテクチャのうちのいずれかに実装されてもよい。この記載は、本発明の理解を提供することを目的として、限定ではなく説明のために、例えば、具体的構成部品、電子回路機構、技術等のような特定の詳細について説明している。しかし、本発明が、これらの特定の詳細から逸脱する他の実施形態で実施されてもよいことは、当業者には明らかであろう。その他の点では、不要な詳細で記載をあいまいにすることのないよう、周知の方法、デバイス、技術等の詳細記述は省略している。個々の機能ブロックは、１つ以上の図で示されている。当業者であれば、これらの機能は、個別の構成部品あるいは多機能ハードウェアを使用して実装されてもよいことを理解するであろう。ここで、処理機能は、プログラムされたマイクロプロセッサまたは汎用コンピュータを用いて実装されてもよい。従って、本発明は、上述の及び実施形態に示される図に限定されるのものではなく、添付の請求項の範囲内で変更することができる。
【図１ａ】
2010518681.tif 000007
【図１ｂ】
2010518681.tif 000008
【図２】
2010518681.tif 000009
【図３】
2010518681.tif 000010
【図４】
2010518681.tif 000011
【図５】
2010518681.tif 000012
【図６】
2010518681.tif 000013
【手続補正書】
【提出日】平成20年12月3日(2008.12.3)
【手続補正１】
【補正対象書類名】特許請求の範囲
【補正対象項目名】全文
【補正方法】変更
【補正の内容】
【特許請求の範囲】
【請求項１】
パケット交換ドメイン内のサービングノード（ＳＧＳＮ）と通信する汎用アクセスネットワークＧＡＮの前記パケット交換ドメインを最適化する方法であって、
前記サービングノード（ＳＧＳＮ）において、ＧＡＮアクセスが移動局／加入者（ＭＳ）によって使用されていることを検出するステップと、
ＧＡＮモードの動作で不要な機能が減少されるように、ライトウェイトバージョンプロトコルを使用することによって、前記移動局／加入者（ＭＳ）と前記サービングノード（ＳＧＳＮ）間の通信を実行するステップとを備え、
論理リンク制御（ＬＬＣ）プロトコルのライトウェイトバージョンが、前記移動局／加入者（ＭＳ）と前記サービングノード（ＳＧＳＮ）間で使用される
ことを特徴とする方法。
【請求項２】
パケット交換ドメイン内のサービングノード（ＳＧＳＮ）と通信する汎用アクセスネットワークＧＡＮの前記パケット交換ドメインを最適化する方法であって、
前記サービングノード（ＳＧＳＮ）において、ＧＡＮアクセスが移動局／加入者（ＭＳ）によって使用されていることを検出するステップと、
ＧＡＮモードの動作で不要な機能が減少されるように、ライトウェイトバージョンプロトコルを使用することによって、前記移動局／加入者（ＭＳ）と前記サービングノード（ＳＧＳＮ）間の通信を実行するステップとを備え、
サブネットワーク依存コンバージェンスプロトコル（ＳＮＤＣＰ）のライトウェイトバージョンが、前記移動局／加入者（ＭＳ）と前記サービングノード（ＳＧＳＮ）間で使用される
ことを特徴とする方法。
【請求項３】
前記移動局／加入者（ＭＳ）は、ＧＡＮコントローラ（ＧＡＮＣ）を介して前記サービングノード（ＳＧＳＮ）と通信し、これによって、ＧＡＮアセクス検出として、
汎用アクセスネットワークＧＡＮを表すネットワークエリアを識別する情報で、前記サービングノード（ＳＧＳＮ）を事前構成するステップと、
汎用アクセスネットワークＧＡＮを表すネットワークエリアに前記移動局／加入者（ＭＳ）が進入することによって、前記ＧＡＮコントローラ（ＧＡＮＣ）に向けてセル更新あるいはルーティングエリア更新がトリガされるようにするステップと、
前記セル更新あるいは前記ルーティングエリア更新を、前記ＧＡＮコントローラ（ＧＡＮＣ）から前記サービングノード（ＳＧＳＮ）へ転送するステップと、
前記サービングノード（ＳＧＳＮ）において、前記転送されるセル更新あるいはルーティングエリア更新とともに提供される情報と、前記事前構成における情報とを比較することによって、ＧＡＮアクセスが使用されていることを判定するステップと
を備えることを特徴とする請求項１または２に記載の方法。
【請求項４】
前記移動局／加入者（ＭＳ）は、ＧＡＮコントローラ（ＧＡＮＣ）を介して前記サービングノード（ＳＧＳＮ）と通信し、これによって、ＧＡＮアセクス検出として、
ＧＡＮアクセスが使用されている場合のアクセス指標を含めるように、前記ＧＡＮコントローラ（ＧＡＮＣ）と前記サービングノード（ＳＧＳＮ）との間の基地局システムＧＰＲＳプロトコル（ＢＳＳＧＰ）シグナリングを拡張するステップと、
汎用アクセスネットワークＧＡＮに前記移動局／加入者（ＭＳ）が進入することによって、前記ＧＡＮコントローラ（ＧＡＮＣ）に向けてセル更新あるいはルーティングエリア更新がトリガされるようにするステップと、
前記アクセス指標を、前記ＧＡＮコントローラ（ＧＡＮＣ）から前記サービングノード（ＳＧＳＮ）へ送信するステップと、
前記アクセス指標が受信されることで、ＧＡＮアクセスが前記サービングノード（ＳＧＳＮ）で使用されることを判定するステップと
を備えることを特徴とする請求項１または２に記載の方法。
【請求項５】
前記セル更新あるいは前記ルーティングエリア更新とともに前記アクセス指標を、前記ＧＡＮコントローラ（ＧＡＮＣ）から前記サービングノード（ＳＧＳＮ）へ送信するステップを更に備える
ことを特徴とする請求項４に記載の方法。
【請求項６】
前記移動局／加入者（ＭＳ）は、ＧＡＮコントローラ（ＧＡＮＣ）を介して前記サービングノード（ＳＧＳＮ）と通信し、これによって、ＧＡＮアセクス検出として、
前記ＧＡＮコントローラ（ＧＡＮＣ）と前記サービングノード（ＳＧＳＮ）とを、１つの結合ノード（ＧＡＮＣ／ＳＧＳＮ）に結合するステップと、
前記移動局／加入者（ＭＳ）によって前記汎用アクセスネットワークＧＡＮに進入するステップと、
ノード内ＧＡＮアクセス指標メッセージを、前記結合ノードの前記ＧＡＮコントローラ（ＧＡＮＣ）の部分から、前記結合ノードの前記サービングノード（ＳＧＳＮ）の部分へ転送するステップと、
前記ノード内ＧＡＮアクセス指標メッセージが受信される場合に、前記結合ノードの前記サービングノード（ＳＧＳＮ）の部分でのＧＡＮアクセスの使用を判定するステップと
を備えることを特徴とする請求項１または２に記載の方法。
【請求項７】
前記移動局／加入者（ＭＳ）によって前記汎用アクセスネットワークＧＡＮから離脱するステップと、
前記移動局／加入者（ＭＳ）と前記サービングノード（ＳＧＳＮ）間の前記ライトウェイトバージョンプロトコルの通信から、オリジナルモードの通信に復帰するステップと
を備えることを特徴とする請求項１乃至６のいずれか１項に記載の方法。
【請求項８】
パケット交換ドメイン内のサービングノード（ＳＧＳＮ）と通信する汎用アクセスネットワークＧＡＮの前記パケット交換ドメインを最適化する装置であって、
前記サービングノード（ＳＧＳＮ）において、ＧＡＮアクセスが移動局／加入者（ＭＳ）によって使用されていることを検出する手段と、
ＧＡＮモードの動作で不要な機能が減少されるように、ライトウェイトバージョンプロトコルを使用することによって、前記移動局／加入者（ＭＳ）と前記サービングノード（ＳＧＳＮ）間の通信を実行する手段とを備え、
論理リンク制御（ＬＬＣ）プロトコルのライトウェイトバージョンが、前記移動局／加入者（ＭＳ）と前記サービングノード（ＳＧＳＮ）間で使用される
ことを特徴とする装置。
【請求項９】
パケット交換ドメイン内のサービングノード（ＳＧＳＮ）と通信する汎用アクセスネットワークＧＡＮの前記パケット交換ドメインを最適化する装置であって、
前記サービングノード（ＳＧＳＮ）において、ＧＡＮアクセスが移動局／加入者（ＭＳ）によって使用されていることを検出する手段と、
ＧＡＮモードの動作で不要な機能が減少されるように、ライトウェイトバージョンプロトコルを使用することによって、前記移動局／加入者（ＭＳ）と前記サービングノード（ＳＧＳＮ）間の通信を実行する手段とを備え、
サブネットワーク依存コンバージェンスプロトコル（ＳＮＤＣＰ）のライトウェイトバージョンが、前記移動局／加入者（ＭＳ）と前記サービングノード（ＳＧＳＮ）間で使用される
ことを特徴とする装置。
【請求項１０】
前記移動局／加入者（ＭＳ）は、ＧＡＮコントローラ（ＧＡＮＣ）を介して前記サービングノード（ＳＧＳＮ）と通信し、これによって、ＧＡＮアセクス検出として、
汎用アクセスネットワークＧＡＮを表すネットワークエリアを識別する情報で、前記サービングノード（ＳＧＳＮ）を事前構成する手段と、
汎用アクセスネットワークＧＡＮを表すネットワークエリアへの前記移動局／加入者（ＭＳ）による進入に応じて、前記ＧＡＮコントローラ（ＧＡＮＣ）に向けてセル更新あるいはルーティングエリア更新をトリガする手段と、
前記セル更新あるいは前記ルーティングエリア更新を、前記ＧＡＮコントローラ（ＧＡＮＣ）から前記サービングノード（ＳＧＳＮ）へ転送する手段と、
前記サービングノード（ＳＧＳＮ）において、前記転送されるセル更新あるいはルーティングエリア更新とともに提供される情報と、前記事前構成における情報とを比較することによって、ＧＡＮアクセスが使用されていることを判定する手段と
を備えることを特徴とする請求項８または９に記載の装置。
【請求項１１】
前記移動局／加入者（ＭＳ）は、ＧＡＮコントローラ（ＧＡＮＣ）を介して前記サービングノード（ＳＧＳＮ）と通信し、これによって、ＧＡＮアセクス検出として、
ＧＡＮアクセスが使用されている場合のアクセス指標を含めるように、前記ＧＡＮコントローラ（ＧＡＮＣ）と前記サービングノード（ＳＧＳＮ）との間の基地局システムＧＰＲＳプロトコル（ＢＳＳＧＰ）シグナリングを拡張する手段と、
汎用アクセスネットワークＧＡＮへの前記移動局／加入者（ＭＳ）による進入に応じて、前記ＧＡＮコントローラ（ＧＡＮＣ）に向けてセル更新あるいはルーティングエリア更新をトリガする手段と、
前記アクセス指標を、前記ＧＡＮコントローラ（ＧＡＮＣ）から前記サービングノード（ＳＧＳＮ）へ送信する手段と、
前記アクセス指標が受信されることで、ＧＡＮアクセスが前記サービングノード（ＳＧＳＮ）で使用されることを判定する手段と
を備えることを特徴とする請求項８または９に記載の装置。
【請求項１２】
前記セル更新あるいは前記ルーティングエリア更新とともに前記アクセス指標を、前記ＧＡＮコントローラ（ＧＡＮＣ）から前記サービングノード（ＳＧＳＮ）へ送信する手段を更に備える
ことを特徴とする請求項１１に記載の装置。
【請求項１３】
前記移動局／加入者（ＭＳ）は、ＧＡＮコントローラ（ＧＡＮＣ）を介して前記サービングノード（ＳＧＳＮ）と通信し、これによって、ＧＡＮアセクス検出として、
前記ＧＡＮコントローラ（ＧＡＮＣ）と前記サービングノード（ＳＧＳＮ）とを、１つの結合ノード（ＧＡＮＣ／ＳＧＳＮ）に結合する手段と、
前記結合ノード（ＧＡＮＣ／ＳＧＳＮ）において、前記移動局／加入者（ＭＳ）による前記汎用アクセスネットワークＧＡＮへの進入を識別する手段と、
ノード内ＧＡＮアクセス指標メッセージを、前記結合ノードの前記ＧＡＮコントローラ（ＧＡＮＣ）の部分から、前記結合ノードの前記サービングノード（ＳＧＳＮ）の部分へ転送する手段と、
前記ノード内ＧＡＮアクセス指標メッセージが受信される場合に、前記結合ノードの前記サービングノード（ＳＧＳＮ）の部分でのＧＡＮアクセスの使用を判定する手段と
を備えることを特徴とする請求項８または９に記載の装置。
【請求項１４】
前記移動局／加入者（ＭＳ）による前記汎用アクセスネットワークＧＡＮからの離脱を検出する手段と、
前記移動局／加入者（ＭＳ）と前記サービングノード（ＳＧＳＮ）間の前記ライトウェイトバージョンプロトコルの通信から、オリジナルモードの通信に復帰する手段と
を備えることを特徴とする請求項８乃至１３のいずれか１項に記載の装置。
【請求項１５】
パケット交換ドメイン内のサービングノード（ＳＧＳＮ）と通信する汎用アクセスネットワークＧＡＮの前記パケット交換ドメインの最適化のための、前記サービングノード（ＳＧＳＮ）装置であって、
当該サービングノード（ＳＧＳＮ）において、ＧＡＮアクセスが移動局／加入者（ＭＳ）によって使用されていることを検出する手段と、
当該サービングノード（ＳＧＳＮ）において、ＧＡＮモードの動作で不要な機能が減少されるように、ライトウェイトバージョンプロトコルを使用することによって、前記移動局／加入者（ＭＳ）と当該サービングノード（ＳＧＳＮ）間の通信を実行する手段とを備え、
論理リンク制御（ＬＬＣ）プロトコルのライトウェイトバージョンが、前記移動局／加入者（ＭＳ）と前記サービングノード（ＳＧＳＮ）間で使用される
ことを特徴とするサービングノード（ＳＧＳＮ）。
【請求項１６】
パケット交換ドメイン内のサービングノード（ＳＧＳＮ）と通信する汎用アクセスネットワークＧＡＮの前記パケット交換ドメインの最適化のための、前記サービングノード（ＳＧＳＮ）であって、
当該サービングノード（ＳＧＳＮ）において、ＧＡＮアクセスが移動局／加入者（ＭＳ）によって使用されていることを検出する手段と、
前記サービングノード（ＳＧＳＮ）において、ＧＡＮモードの動作で不要な機能が減少されるように、ライトウェイトバージョンプロトコルを使用することによって、前記移動局／加入者（ＭＳ）と当該サービングノード（ＳＧＳＮ）間の通信を実行する手段とを備、
サブネットワーク依存コンバージェンスプロトコル（ＳＮＤＣＰ）のライトウェイトバージョンが、前記移動局／加入者（ＭＳ）と前記サービングノード（ＳＧＳＮ）間で使用される
ことを特徴とするサービングノード（ＳＧＳＮ）。
【請求項１７】
汎用アクセスネットワークのパケット交換ドメインの最適化のための結合ノード（ＧＡＮＣ／ＳＧＳＮ）であって、
当該結合ノード（ＧＡＮＣ／ＳＧＳＮ）において、前記移動局／加入者（ＭＳ）による前記汎用アクセスネットワークＧＡＮへの進入を識別する手段と、
当該結合ノード（ＧＡＮＣ／ＳＧＳＮ）において、ノード内ＧＡＮアクセス指標メッセージを、前記結合ノードの前記ＧＡＮコントローラ（ＧＡＮＣ）の部分から、前記結合ノードの前記サービングノード（ＳＧＳＮ）の部分へ転送する手段と、
当該結合ノード（ＧＡＮＣ／ＳＧＳＮ）において、前記ノード内ＧＡＮアクセス指標メッセージが受信される場合に、当該結合ノード（ＧＡＮＣ／ＳＧＳＮ）の前記サービングノード（ＳＧＳＮ）の部分でのＧＡＮアクセスの使用を判定する手段と
を備えることを特徴とする結合ノード。
【請求項１８】
パケット交換ドメイン内のサービングノード（ＳＧＳＮ）と通信する汎用アクセスネットワークＧＡＮの前記パケット交換ドメインを最適化するためのコンピュータ読取可能なプログラムコードを記録したプログラム記録媒体であって、
前記サービングノード（ＳＧＳＮ）において、ＧＡＮアクセスが移動局／加入者（ＭＳ）によって使用されていることを検出するためのコンピュータ読取可能なプログラムコードと、
ＧＡＮモードの動作で不要な機能が減少されるように、ライトウェイトバージョンプロトコルを使用することによって、前記移動局／加入者（ＭＳ）と前記サービングノード（ＳＧＳＮ）間の通信を実行するためのコンピュータ読取可能なプログラムコードとが記録されており、
論理リンク制御（ＬＬＣ）プロトコルのライトウェイトバージョンが、前記移動局／加入者（ＭＳ）と前記サービングノード（ＳＧＳＮ）間で使用される
ことを特徴とするプログラム記録媒体。
【請求項１９】
パケット交換ドメイン内のサービングノード（ＳＧＳＮ）と通信する汎用アクセスネットワークＧＡＮの前記パケット交換ドメインを最適化するためのコンピュータ読取可能なプログラムコードを記録したプログラム記録媒体であって、
前記サービングノード（ＳＧＳＮ）において、ＧＡＮアクセスが移動局／加入者（ＭＳ）によって使用されていることを検出するためのコンピュータ読取可能なプログラムコードと、
サブネットワーク依存コンバージェンスプロトコル（ＳＮＤＣＰ）のライトウェイトバージョンが、前記移動局／加入者（ＭＳ）と前記サービングノード（ＳＧＳＮ）間で使用される
ことを特徴とするプログラム記録媒体。
【国際調査報告】
2010518681.tif 000014
2010518681.tif 000015
2010518681.tif 000016
2010518681.tif 000017
2010518681.tif 000018
2010518681.tif 000019